(57)【要約】【課題】投票者を支援する確かな情報を提供する。【解決手段】投票支援装置１は、集計部５が、所定の期間において結果が確定した確定レースのレース結果を取得し、レース結果に基づいて的中番号と、的中番号の的中回数に応じた評価ポイントと、を集計し、的中番号と評価ポイントとを対応付けたポイント集計情報３ａを生成して記憶部３に記憶する。あたり目検出部７は、賭式ごとに、ポイント集計情報に基づいて、賭式のあたり目に対応する的中番号を評価ポイントに応じて評価する。そして、評価結果に基づいて的中番号からあたり目を検出する。【選択図】図１
2016031715.tif 000002
【特許請求の範囲】
【請求項１】
所定の期間において結果が確定した確定レースのレース結果を取得し、前記レース結果に基づいて的中番号と、前記的中番号の的中回数に応じた評価ポイントと、を集計し、前記的中番号と前記評価ポイントとを対応付けたポイント集計情報を生成して記憶部に記憶する集計部と、
賭式ごとに、前記ポイント集計情報に基づいて前記賭式のあたり目に対応する前記的中番号を前記評価ポイントに応じて評価し、評価結果に基づいて前記的中番号からあたり目を検出するあたり目検出部と、
を有する投票支援装置。
【請求項２】
前記集計部は、
前記賭式ごとに、着順が前記賭式のあたり目に対応する投票対象番号を式別的中番号として、前記式別的中番号と、前記式別的中番号の前記賭式における的中回数に応じた前記評価ポイントとを集計する、
請求項１記載の投票支援装置。
【請求項３】
前記集計部は、
前記賭式が、前記賭式に応じて決まる所定の着順内に入る前記投票対象番号を着順は問わずに選択する第１賭式であるときは、前記所定の着順内に入った前記投票対象番号を前記式別的中番号とし、前記投票対象番号が前記所定の着順内に入った回数を前記的中回数として前記評価ポイントを集計し、
前記あたり目検出部は、
前記評価結果が高い順に前記賭式に応じた数の前記式別的中番号を選択し、選択した前記式別的中番号の組み合わせを前記あたり目とする、
請求項２記載の投票支援装置。
【請求項４】
前記集計部は、
前記賭式が、前記賭式に応じて決まる所定の着順内に入る前記投票対象番号を着順を指定して選択する第２賭式であるときは、前記所定の着順内の着順ごとに前記式別的中番号と前記評価ポイントとを集計し、
前記あたり目検出部は、
前記着順ごとに前記評価結果が最も高い前記式別的中番号を選択し、前記着順ごとに選択した前記式別的中番号を前記着順に従って並べて前記あたり目とする、
請求項２記載の投票支援装置。
【請求項５】
前記あたり目検出部は、
前記評価結果が同じあたり目候補が複数検出されたときは、前記複数のあたり目候補から無作為に１つを選択し、前記あたり目とする、
請求項１乃至４の何れか１項に記載の投票支援装置。
【請求項６】
前記あたり目に基づくあたり目投票券を自動的に発券する第１モードと、前記あたり目を投票者が選択して前記あたり目投票券を発券する第２モードと、を有する投票券発券装置から前記賭式と、前記第１モードまたは前記第２モードのいずれかの指定と、を取得し、
前記第１モードが指定されていたときは、前記賭式に対応する前記あたり目を選択して前記あたり目を前記投票券発券装置に出力し、
前記第２モードが指定されていたときは、前記賭式に対応する前記あたり目と、前記賭式に対応する前記ポイント集計情報と、を投票券発券装置に出力する支援情報生成部、
を有する、
請求項１乃至５の何れか１項に記載の投票支援装置。
【請求項７】
前記集計部は、
前記所定の期間の最初に行われる第１レースまたは前記第１レース以降の予め決められた数のレースの結果が確定されるまでは、前記第１レースの前に行われたレースにおける前記レース結果を取得して、前記ポイント集計情報を生成する、
請求項１乃至６の何れか１項に記載の投票支援装置。
【請求項８】
レースを管理する管理装置と、投票券を発券する投票券発券装置と、投票を支援する投票支援装置と、がネットワークを介して接続する投票システムにおいて、
前記投票支援装置が、
所定の期間において結果が確定した確定レースのレース結果を前記管理装置から取得し、前記レース結果に基づいて的中番号と、前記的中番号の的中回数に応じた評価ポイントと、を集計し、前記的中番号と前記評価ポイントとを対応付けたポイント集計情報を生成して記憶部に記憶する集計部と、
賭式ごとに、前記ポイント集計情報に基づいて前記賭式のあたり目に対応する前記的中番号を前記評価ポイントに応じて評価し、評価結果に基づいて前記的中番号からあたり目を検出するあたり目検出部と、を有し、
前記投票券発券装置が、
前記投票者による前記賭式を指定したあたり目投票依頼に基づき、前記投票券発券装置から前記賭式に対応する前記あたり目を取得し、前記あたり目に基づいて投票券を発券する発券制御部、を有する、
投票システム。
【請求項９】
前記投票券発券装置は、前記あたり目に基づくあたり目投票券を自動的に発券する第１モードと、前記あたり目を投票者が選択して前記あたり目投票券を発券する第２モードと、を有し、
前記投票支援装置は、前記第１モードが指定されていたときは、前記賭式に対応する前記あたり目を選択して前記あたり目を前記投票券発券装置に出力し、前記第２モードが指定されていたときは、前記賭式に対応する前記あたり目と、前記賭式に対応する前記ポイント集計情報と、を投票券発券装置に出力する支援情報生成部を有し、
前記投票券発券装置の前記発券制御部は、前記投票者が前記第１モードを選択したときは、前記第１モードと前記賭式とを指定して前記投票支援装置に出力し、取得した前記あたり目を用いて前記あたり目投票券を発券し、前記投票者が前記第２モードを選択したときは、前記第２モードと前記賭式とを指定して前記投票支援装置に出力し、取得した前記あたり目と、前記ポイント集計情報とに基づく選択画面を前記投票者に提示し、選択された投票番号を前記あたり目として前記あたり目投票券を発券する、
請求項８記載の投票システム。
【請求項１０】
投票支援装置が、
所定の期間において結果が確定した確定レースのレース結果を取得し、
前記レース結果に基づいて的中番号と、前記的中番号の的中回数に応じた評価ポイントと、を集計し、
前記的中番号と前記評価ポイントとを対応付けたポイント集計情報を生成して記憶部に記憶し、
賭式ごとに、前記ポイント集計情報に基づいて前記賭式のあたり目に対応する前記的中番号を前記評価ポイントに応じて評価し、
評価結果に基づいて前記的中番号からあたり目を検出する、
投票支援方法。
【発明の詳細な説明】
【技術分野】
【０００１】
本発明は、投票支援装置、投票システム及び投票支援方法に関する。
【背景技術】
【０００２】
競馬、競輪、競艇等の公営競技における楽しみの一面には、競技の勝者を予想して投票券を購入することにある。近年では、インターネット投票等、投票券の購入方法の多様化によって競技に詳しくない層の参加も増えており、このような初心者が手軽に投票券を購入できるように支援する技術が知られている。
【０００３】
例えば、オッズ（予想配当率）を参考にして投票券を購入する場合、賭式別に表示されるオッズでは、人気の高いものが初心者にはわかりにくい。そこで、全式別のオッズを人気の高い順に並べる表示システムが知られている（例えば、特許文献１）。
【０００４】
また、数レース終了時点で的中番号（あたり目）の偏りを確認し、あたり目を利用して以降のレースの投票券を購入するあたり目投票もある。あたり目投票を手軽に行うため、同一の購入条件を複数レースにわたって指定できる装置が知られている（例えば、特許文献２）。
【０００５】
さらに、より手軽な投票方法として、投票者が購入要求を行うと、コンピュータが投票対象番号や枠番号を自動的に選択して投票券を発券する方法がある。
【先行技術文献】
【特許文献】
【０００６】
【特許文献１】特開２０１３−１１４４８７号公報
【特許文献２】特開平１１−８６０６４号公報
【発明の概要】
【発明が解決しようとする課題】
【０００７】
しかしながら、従来の投票を支援する技術は、公営競技の楽しみを維持しつつ、投票券を気軽に購入したいという投票者の要求を満たすには十分ではなかった。
例えば、オッズは投票締め切りまで変動するものであり、特に締め切り直前に投票券を購入する人が多いため、締め切り直前で大きく変わることがある。このため、オッズを参考にする場合は、締め切り前の早い段階で確かな情報を得ることが難しかった。一方、的中番号はレース終了後にわかるが、的中番号に明らかな偏りがなければあたり目を見つけ出すことは容易ではない。特に、賭式の中には、的中番号が複数存在する等、レース結果から投票者が的中番号の偏りを見つけ出すことが難しいものもあり、確かな情報を得ることは難しかった。
【０００８】
また、コンピュータによるランダムな番号の選択には公営競技の楽しみである競技の勝者の予想という要素が含まれない。
１つの側面では、本願発明は、投票を支援する確かな情報を提供する投票支援装置、投票システム及び投票支援方法にある。
【０００９】
１つの側面では、本願発明は、予想の要素が組み込まれた投票券の購入を気軽に行うことができる投票支援装置、投票システム及び投票支援方法にある。
【課題を解決するための手段】
【００１０】
上記目的を達成するために、以下に示すような投票支援装置が提供される。投票支援装置は、所定の期間において結果が確定した確定レースのレース結果を取得し、レース結果に基づいて的中番号と、的中番号の的中回数に応じた評価ポイントと、を集計し、的中番号と評価ポイントとを対応付けたポイント集計情報を生成して記憶部に記憶する集計部と、賭式ごとに、ポイント集計情報に基づいて賭式のあたり目に対応する的中番号を評価ポイントに応じて評価し、評価結果に基づいて的中番号からあたり目を検出するあたり目検出部と、を有する。
【発明の効果】
【００１１】
１態様によれば、確定レースの的中番号を集計し、各的中番号の評価に基づいてあたり目を選択するので、投票を支援する確かな情報を投票者に提供することができる。また、このあたり目を用いたあたり目投票は、競技の勝者の予想という公営競技の楽しみを実現する。
【図面の簡単な説明】
【００１２】
【図１】第１の実施形態の投票支援装置の構成を示したブロック図である。
【図２】第２の実施形態のトータリゼータシステムの構成例を示した図である。
【図３】第２の実施形態の投票支援装置のハードウェア構成を示した図である。
【図４】第２の実施形態の投票券発券装置のハードウェア構成を示した図である。
【図５】第２の実施形態のトータリゼータシステムの機能ブロック図である。
【図６】第２の実施形態のあたり目検出処理の流れを示した図である。
【図７】第２の実施形態のあたり目投票カードの一例を示した図である。
【図８】第２の実施形態の投票券発券装置の発券処理手順を示したフローチャートである。
【図９】複勝式のレース結果履歴を示した図である。
【図１０】複勝式のポイント集計情報の一例を示した図である。
【図１１】複勝式のポイント集計情報の他の一例を示した図である。
【図１２】単勝式のレース結果履歴を示した図である。
【図１３】単勝式のポイント集計情報の一例を示した図である。
【図１４】レース結果履歴（偏りなし）を示した図である。
【図１５】レース結果履歴（偏りなし）における複勝式のポイント集計情報の一例を示した図である。
【図１６】レース結果履歴（偏りなし）における単勝式のポイント集計情報の一例を示した図である。
【図１７】式別が単勝の場合の選択あたり目投票画面の一例を示した図である。
【図１８】式別が２連複の場合の選択あたり目投票画面の一例を示した図である。
【図１９】式別が２連単の場合の選択あたり目投票画面の一例を示した図である。
【発明を実施するための形態】
【００１３】
以下、本実施の形態について図面を参照して説明する。
なお、本実施の形態では、競馬を例にして説明を行うが、他の競技（競輪・競艇他）でも同様に適用が可能である。
【００１４】
［第１の実施形態］
図１は、第１の実施形態の投票支援装置の構成を示したブロック図である。
投票支援装置１は、記憶部３と、集計部５と、あたり目検出部７と、を有し、公営競技における投票者の投票券購入を支援する。
【００１５】
記憶部３は、集計部５が生成したポイント集計情報３ａを記憶する。ポイント集計情報３ａは、的中番号と、的中番号を評価した評価ポイントとが対応付けられた情報である。
集計部５は、所定期間において結果が確定した確定レースにおけるレース結果を取得する。所定の期間として、例えば、投票対象のレースが行われる当日とし、当日に行われるレースのレース結果をレースが終了するごとに取得する。集計部５は、取得したレース結果に基づいて的中番号と、的中番号の的中回数に応じた評価ポイントと、を集計する。そして、的中番号と評価ポイントとを対応付けたポイント集計情報３ａを生成し、記憶部３に記憶する。
【００１６】
ここで、的中番号は賭式に応じて決まり、例えば、競馬の場合、賭式が単勝では１着の投票番号、複勝では、８頭以上の出走の場合、１着から３着までの投票番号が的中番号になる。なお、６頭または７頭の出走の場合は、１着から２着までの投票番号が的中番号になる。集計部５は、ポイント集計情報３ａを賭式別に用意し、各賭式に対応する的中番号と、その評価ポイントとを集計して生成してもよい。例えば、賭式の「単勝」に対応し、１着の投票対象番号と評価ポイントとを集計する。「複勝」に対応し、１着から３着までの投票対象番号と評価ポイントとを集計する。また、ポイント集計情報３ａを、対象賭式すべてに対応する所定の着順について、着順ごとに的中番号と評価ポイントとを集計して生成してもよい。例えば、１着と２着と３着それぞれに、投票対象番号と評価ポイントとを集計する。あたり目を検出する際には、賭式が単勝の場合は、「１着」に対応する的中番号を参照する。複勝の場合は、「１着」と「２着」と「３着」に対応する的中番号を参照する。
【００１７】
あたり目検出部７は、ポイント集計情報３ａに基づき、指定された賭式のあたり目に対応する的中番号を評価ポイントによって評価し、評価結果に基づいてあたり目を検出する。例えば、賭式別にポイント集計情報３ａが設定されていて、指定された賭式が単勝であるときは、単勝に対応するポイント集計情報３ａに基づき、評価の高い的中番号を検出してあたり目とする。また、着順別にポイント集計情報３ａが設定されていて、指定された賭式が単勝であるときは、１着に対応するポイント集計情報に基づき、評価結果の高い的中番号を検出してあたり目とする。
【００１８】
このような構成の投票支援装置１の動作について説明する。
投票支援装置１には、例えば、投票システム全体を管理する管理装置からレース結果が送信される。集計部５は、所定の期間において結果が確定した確定レースのレース結果を、レースが終了するごとに、あるいは数レース分まとめて取得する。集計部５は、取得したレース結果に基づいて的中番号と、的中番号が的中した的中回数に応じた評価ポイントを集計して、ポイント集計情報３ａを生成する。あたり目検出部７は、ポイント集計情報３ａに基づき、賭式ごとのあたり目に対応する的中番号を評価ポイントで評価し、あたり目を検出する。
【００１９】
なお、あたり目検出部７は、例えば、投票券発券装置や管理装置等、他装置からあたり目要求があれば、あたり目の情報を要求元に送信する。あたり目検出部７は、あたり目検出処理を、あたり目要求を受けたときに行うとしてもよいし、予め検出しておくとしてもよい。
【００２０】
こうして決定されたあたり目が、投票券の購入を考える投票者に提供されることによって、投票者はあたり目に基づいて投票券を気軽に購入することができる。あたり目は、オッズと異なり、レース終了後次のレースまで確定しており、あたり目を確定情報に基づいて検出することができる。また、評価ポイントに基づいてあたり目を検出するため、人があたり目を検出する場合と比較し、見落としなく正確、かつ迅速に情報を得ることができる。従って、投票者に対して確かな情報を早期に提供することができる。なお、投票支援装置１は、投票券発券装置を介してこのあたり目の投票券を発券するようにしてもよいし、あたり目を通知するのみとしてもよい。
【００２１】
また、このようなあたり目を用いれば、手軽さに加え、予想して投票を行うという公営競技の楽しみである予想の要素が組み込まれた投票が可能となる。
［第２の実施形態］
次に、第２の実施形態として、投票支援装置を公営競技のトータリゼータシステムに適用した場合について説明する。
【００２２】
（１）トータリゼータシステムのシステム構成例
まず、トータリゼータシステムのシステム構成例について説明する。図２は、第２の実施形態のトータリゼータシステムの構成例を示した図である。
【００２３】
トータリゼータシステムは、投票券の発券、オッズの表示と集計、配当金の計算、投票券の払戻等を管理する投票システムである。図２に示したトータリゼータシステムは、投票支援装置１０と、投票券発券装置３０と、ホストコンピュータ５０と、投票所管理端末７０と、がネットワーク９０を介して接続する構成を有する。
【００２４】
投票支援装置１０は、図１に示した投票支援装置１の一実施形態であり、ホストコンピュータ５０からレース結果を取得し、レース結果を集計してあたり目を検出し、投票券発券装置３０からのあたり目要求に応じてあたり目を通知して、投票者の投票支援を行う。
【００２５】
投票券発券装置３０は、投票者が操作して投票券を購入するための装置であって、投票カード投入口３０１と、硬貨出入口３０２と、投票券出入口３０３と、紙幣出入口３０４と、ディスプレイ３０５と、タッチパネル３０６と、を備えている。ここでの説明は省略するが、払戻機能を備えていてもよい。
【００２６】
投票カード投入口３０１は、投票者が投票したい内容を記載した投票申し込みマークカード（以下、投票カードとする）の投入口であり、返却する投票カードの排出口である。硬貨出入口３０２は、硬貨の投入口であり、返却する硬貨または釣銭の排出口でもある。投票券出入口３０３は、発券された投票券の排出口でもある。紙幣出入口３０４は、紙幣の投入口であり、返却する紙幣または釣銭の排出口でもある。
【００２７】
ディスプレイ３０５は、タッチパネル３０６の下層に配置されており、操作案内、レース案内、投票カードの投票等の情報を表示する。タッチパネル３０６は、透過型のタッチパネルであり、各種の入力や投票内容の修正等の際に操作される。ディスプレイ３０５により表示された情報は、タッチパネル３０６を透過して、投票者から視認可能である。投票者は、ディスプレイ３０５により表示された情報を見ながら、タッチパネル３０６に対するタッチ操作を行うことができる。
【００２８】
ホストコンピュータ５０は、システム全体を管理する管理装置であり、投票券発券装置３０とネットワーク９０を介して通信を行う。投票券発券装置３０に対し、投票券発券装置３０が行う投票券の発券や投票券の払戻等を管理するとともに、オッズの計算、配当金の計算等を行う。また、ホストコンピュータ５０は、投票支援装置１０に対し、ネットワーク９０を介してレース結果を送信する。
【００２９】
投票所管理端末７０は、投票所ごとに設置され、投票所内の投票券発券装置３０の管理や、投票所内に設置されたオッズや配当等を表示する表示装置の管理等を行う。
ネットワーク９０は、例えば、ＬＡＮ（Local Area Network）、ＷＡＮ（Wide Area Network）、インターネット等のネットワーク、あるいは、それらが混在するネットワークである。
【００３０】
次に、投票支援装置１０及び投票券発券装置３０のハードウェア構成について図３、４を用いて説明する。
図３は、第２の実施形態の投票支援装置のハードウェア構成を示した図である。
【００３１】
投票支援装置１０は、制御部１１０と、ディスプレイ１２１と、キーボード１２２と、を備える。
制御部１１０は、ＣＰＵ（Central Processing Unit）１１１、ＲＡＭ（Random Access Memory）１１２、ＨＤＤ（Hard Disk Drive）１１３、通信インタフェース１１４、グラフィック処理ユニット１１５、入出力インタフェース１１６を有し、各々がバス１１７を介して接続されている。なお、制御部１１０は、コンピュータの一例でもある。
【００３２】
ＣＰＵ１１１は、投票支援装置１０の全体動作を制御する。ＲＡＭ１１２には、ＣＰＵ１１１に実行させるＯＳ（Operating System）のプログラムやアプリケーションプログラムの少なくとも一部が一時的に格納される。また、ＲＡＭ１１２には、ＣＰＵ１１１による処理に必要な各種データが格納される。ＨＤＤ１１３は、ＯＳやアプリケーションプログラムを格納する。
【００３３】
通信インタフェース１１４は、ネットワーク９０に接続され、例えば、ホストコンピュータ５０や投票券発券装置３０との間でデータの送受信を行う。
グラフィック処理ユニット１１５には、ディスプレイ１２１が接続されている。グラフィック処理ユニット１１５は、ＣＰＵ１１１の制御の下に、各種の情報をディスプレイ１２１の画面に表示させる。
【００３４】
入出力インタフェース１１６には、キーボード１２２が接続されている。入出力インタフェース１１６は、キーボード１２２から送られてくる信号をＣＰＵ１１１に送信する。
次に、投票券発券装置３０について説明する。図４は、第２の実施形態の投票券発券装置のハードウェア構成を示した図である。
【００３５】
投票券発券装置３０は、制御部３１０と、ディスプレイ３０５と、タッチパネル３０６と、投票カード読取ユニット３２１と、紙幣還流ユニット３２２と、硬貨還流ユニット３２３と、投票券印刷ユニット３２４と、を備える。
【００３６】
制御部３１０を構成するＣＰＵ３１１、ＲＡＭ３１２、ＨＤＤ３１３、通信インタフェース３１４、グラフィック処理ユニット３１５は、図３に示した投票支援装置１０の制御部１１０のＣＰＵ１１１、ＲＡＭ１１２、ＨＤＤ１１３、通信インタフェース１１４、グラフィック処理ユニット１１５と同様であるので、説明は省略する。
【００３７】
入出力インタフェース３１６には、タッチパネル３０６、投票カード読取ユニット３２１、紙幣還流ユニット３２２、硬貨還流ユニット３２３、投票券印刷ユニット３２４が接続されている。また、入出力インタフェース３１６は、可搬型記録ユニット３２６に対する情報の書き込み及び読み出しが可能な可搬型記録媒体インタフェースと接続可能になっている。入出力インタフェース３１６は、タッチパネル３０６、投票カード読取ユニット３２１、紙幣還流ユニット３２２、硬貨還流ユニット３２３、投票券印刷ユニット３２４、可搬型記録媒体インタフェースから送られてくる信号を、バス３１７を介してＣＰＵ３１１に送信する。また、入出力インタフェース３１６は、ＣＰＵ３１１から送られてくる制御信号を、バス３１７を介して対応するユニットへ送信する。
【００３８】
投票カード読取ユニット３２１は、投票カードから投票内容を読み取るユニットである。紙幣還流ユニット３２２は、紙幣の受け入れ、紙幣の真贋の鑑別、紙幣の収納、紙幣の返却、釣銭の排出を行う。硬貨還流ユニット３２３は、硬貨の受け入れ、硬貨の真贋の鑑別、硬貨の収納、硬貨の返却、釣銭の排出を行う。投票券印刷ユニット３２４は、投票内容を印刷して投票券を発行する。
【００３９】
以上のようなハードウェア構成によって、本実施の形態の処理機能を実現することができる。
なお、ホストコンピュータ５０及び投票所管理端末７０は、投票支援装置１０の制御部１１０及び投票券発券装置３０の制御部３１０と同様のハードウェア構成を備え、同様の処理機能を有するので、説明は省略する。
【００４０】
次に、あたり目検出処理を実現するトータリゼータシステムのソフトウェア構成について説明する。
図５は、第２の実施形態のトータリゼータシステムの機能ブロック図である。図５は、トータリゼータシステムの投票支援装置１０と、投票券発券装置３０及びホストコンピュータ５０のあたり目投票処理に関連する部分と、を示している。
【００４１】
投票支援装置１０は、通信部１３と、記憶部１４と、ポイント集計部１５と、あたり目検出部１６と、支援情報生成部１７と、を有する。
通信部１３は、ネットワーク９０を介してホストコンピュータ５０と、投票券発券装置３０との間でデータ交換を行う。通信部１３は、ホストコンピュータ５０から受信したレース結果を記憶部１４のレース結果履歴２１に順次保存する。また通信部１３は、投票券発券装置３０から受信した情報を支援情報生成部１７へ出力し、支援情報生成部１７から取得した応答を投票券発券装置３０に送信する。
【００４２】
記憶部１４は、レース結果履歴２１、ポイント集計情報２２及びあたり目情報２３を記憶する。レース結果履歴２１は、通信部１３がホストコンピュータ５０から取得したレース結果を順次保存した履歴情報である。ポイント集計情報２２は、ポイント集計部１５が生成する的中番号の評価情報である。あたり目情報２３は、あたり目検出部１６が検出した賭式ごとのあたり目の情報である。
【００４３】
ポイント集計部１５は、レース結果履歴２１に基づき、的中番号と、的中番号の的中回数に応じた評価ポイントと、を集計する。的中番号は賭式ごとに異なるため、ポイント集計部１５は、賭式別の的中番号（以下、式別的中番号とする）を検出し、この式別的中番号がレース結果履歴２１に出現した的中回数を算出して評価ポイントを算出する。評価ポイントは、例えば、式別的中番号がレース結果履歴２１に検出されるごとに１を加算して算出する。また、着順によって重み付けを行って評価ポイントを算出するとしてもよい。例えば、この式別的中番号が１着で検出されたときは＋３、２着であれば＋２、３着であれば＋１として算出する。ポイント集計部１５は、式別的中番号と評価ポイントとを対応付けたポイント集計情報２２を記憶部１４に記憶する。
【００４４】
あたり目検出部１６は、ポイント集計情報２２に基づき、指定された賭式のあたり目を検出する。第１の実施形態のあたり目検出部７では、賭式が指定されてからあたり目を検出するとしたが、第２の実施形態のあたり目検出部１６は、ポイント集計情報２２の更新時に、更新したポイント集計情報２２に基づいて賭式別にあたり目を検出する。具体的には、賭式ごとに、式別的中番号をその評価ポイントで評価し、評価結果の最も高いものをあたり目とする。評価結果が同じ複数のあたり目候補が検出されたときは全てをあたり目とする。そして、検出したあたり目を賭式に対応付けたあたり目情報２３を記憶部１４に記憶しておく。
【００４５】
支援情報生成部１７は、通信部１３を介して投票券発券装置３０から賭式とモードを指定した要求を取得し、要求に応じて投票を支援する支援情報を生成し、投票券発券装置３０へ送信する。詳細は後述するが、いずれのモードであっても、指定された賭式に基づき、あたり目情報２３から該当する賭式のあたり目を抽出して投票券発券装置３０へ送信する。あたり目が複数ある場合は、複数のあたり目から無作為に１つを選択する。
【００４６】
投票券発券装置３０は、通信部３３と、カード読取部３４と、発券制御部３５と、を有し、投票者の指示に従って投票券を発券する。
通信部３３は、ネットワーク９０を介してホストコンピュータ５０と、投票支援装置１０との間でデータ交換を行う。通信部３３は、発券制御部３５に従ってホストコンピュータ５０からオッズや配当等の情報を取得し、投票支援装置１０からは投票者が指定した賭式のあたり目を取得する。
【００４７】
カード読取部３４は、投票カード読取ユニット３２１が読み取った読取情報を発券制御部３５へ出力する。投票カードには、投票対象の会場、レース番号、賭式、金額、買い方等が投票者によって記入されている。
【００４８】
発券制御部３５は、カード読取部３４から取得した読取情報に基づき、投票券の発券処理を行う。買い方は、あたり目投票を「お任せ」または「選択」の何れで行うかを指定する項目である。「お任せ」で処理を行う場合を第１モードとし、「選択」で処理を行う場合を第２モードとして説明する。
【００４９】
第１モードでは、投票者によって指定された賭式のあたり目を投票支援装置１０から取得し、取得したあたり目を用いてあたり目投票券を発券する。第２モードでは、少なくとも、投票者によって指定された賭式のあたり目と、ポイント集計情報２２の指定された賭式に対応する情報と、を投票支援装置１０から取得し、投票者に提示する。このとき、レース結果履歴２１の賭式に対応する情報も投票支援装置１０から取得し、投票者に提示するとしてもよい。そして、投票者が選択した番号を用いてあたり目投票券を発券する。
【００５０】
ホストコンピュータ５０は、通信部５３と、レース管理部５４と、を有する。
通信部５３は、ネットワーク９０を介して投票支援装置１０と、投票券発券装置３０との間でデータ交換を行う。また、ネットワーク９０を介して各地のレースに関連するレース情報を取得する。レース情報には、レース前の投票券の購入状況に関する情報や、レース結果に関する情報等、レースに関連する情報が含まれる。
【００５１】
レース管理部５４は、レース情報を取得し、オッズの算出や配当金の算出を行う。また、レース結果を取得したときは、通信部５３を介してレース結果を投票支援装置１０に送信する。
【００５２】
第２の実施形態のトータリゼータシステムは、上記の構成を備え、あたり目投票を含む投票支援処理を行う。なお、以下において、あたり目検出の対象となる所定の期間は当日であり、ホストコンピュータ５０から投票支援装置１０に、当日のレースが終了するごとにレース結果が送られてくるとする。
【００５３】
（２）あたり目検出処理
上記の構成のトータリゼータシステムによるあたり目検出処理について図６を用いて説明する。図６は、第２の実施形態のあたり目検出処理の流れを示した図である。
【００５４】
ホストコンピュータ５０は、レースｎが終了し、レースｎの結果が確定したら、通信部５３を介してこのレースのレース結果ｎ（５５ａ）を投票支援装置１０に送信する（５３ａ）。なお、投票支援装置１０からの要求に応じてホストコンピュータ５０から投票支援装置１０にレース結果が送信されるとしてもよい。
【００５５】
投票支援装置１０では、通信部１３が、受信処理１３ａによって取得したレース結果をレース結果履歴２１に追加して更新する。更新後の情報を、レース結果履歴２１ａとする。ポイント集計部１５は、更新したレース結果履歴２１ａに基づいて集計処理１５ａを行ってポイント集計情報２２ａを生成し、記憶部１４に記憶する。あたり目検出部１６は、更新されたポイント集計情報２２ａに基づいて賭式別にあたり目を検出し、あたり目情報２３ａを生成して記憶部１４に記憶する。このように、投票支援装置１０では、レース終了直後にホストコンピュータ５０から送られてきたレース結果ｎ（５５ａ）を取得後、すぐに集計処理１５ａとあたり目検出処理１６ａを行い、情報を更新する。
【００５６】
次のレースの終了時、ホストコンピュータ５０によって次のレースのレース結果ｎ＋１（５５ｂ）のレース結果送信５３ｂが行われる。投票支援装置１０は、通信部１３が、受信処理１３ｂによって取得したレース結果ｎ＋１（５５ｂ）を用いて、レース結果履歴２１ａをレース結果履歴２１ｂに更新する。ポイント集計部１５は、レース結果履歴２１ｂに基づいて集計処理１５ｂを行って、ポイント集計情報２２ｂを生成する。あたり目検出部１６は、あたり目の検出処理１６ｂを行い、あたり目情報２３ａをあたり目情報２３ｂに更新する。
【００５７】
投票支援装置１０では、このような処理をレース終了ごとに繰りかえす。従って、ポイント集計情報２２及びあたり目情報２３は、レース終了時に迅速に更新され、次のレース終了までその値が保持される。
【００５８】
一方、投票券発券装置３０では、不定期にあたり目投票が行われる。投票券発券装置３０によるあたり目投票券発券処理３５ａによって、要求が投票支援装置１０に送られてくる。支援情報生成部１７は、要求に基づいて支援情報生成処理１７ａを行い、あたり目情報２３ａから抽出した指定賭式のあたり目２３１を投票券発券装置３０に送信する。
【００５９】
投票券発券装置３０では、レース終了の直後から次のレース終了までの間、確かなあたり目情報を受け取ることができる。従って、オッズと比較して、投票者は、確かな情報を次のレース開始前の早い時期に取得することができる。
【００６０】
（３）あたり目投票券発券処理
次に、投票支援装置１０によるあたり目投票券発券処理について説明する。あたり目投票は、投票券発券装置３０が投票者の記入したあたり目投票カードを読み取り、読み取った情報に基づいて処理を行う。なお、以下の説明では、賭式の種別を単に式別と表記する。
【００６１】
図７は、第２の実施形態のあたり目投票カードの一例を示した図である。
あたり目投票カード３４０は、マークシート方式で記入するカードであり、あたり目買い方の指定３４１と、投票券を購入したい場名３４２、レース番号３４３、式別３４４及び金額３４５の項目がある。
【００６２】
あたり目買い方の指定３４１は、投票券発券装置３０があたり目投票を管理する２つのモードである第１モード「お任せ」と、第２モード「選択」のいずれで投票券を購入するかを指定する項目である。第１モードでは、投票支援装置１０で検出したあたり目を用いて投票券を発券する。第２モードでは、投票支援装置１０で検出したあたり目と、ポイント集計情報２２に基づく選択画面をディスプレイ３０５に表示して投票者にあたり目を提示し、選択は投票者に行わせる。
【００６３】
場名３４２は投票対象のレースが行われる場、レース番号３４３は投票対象のレースの番号、式別３４４は投票の式別及び金額３４５は投票金額をそれぞれ指定する。
投票券発券装置３０の発券処理について図８を用いて説明する。図８は、第２の実施形態の投票券発券装置の発券処理手順を示したフローチャートである。
【００６４】
投票券発券装置３０では、紙幣出入口３０４、硬貨出入口３０２から購入代金が入金され、投票カード投入口３０１に投票内容を指示したあたり目投票カード３４０が投入されて、処理を開始する。
【００６５】
［ステップＳ０１］  発券制御部３５は、紙幣還流ユニット３２２、硬貨還流ユニット３２３を介して入金を検知し、入金受付を行う。検知された入金金額等の情報を一時記憶領域に保存しておく。
【００６６】
［ステップＳ０２］  カード読取部３４は、投票カード読取ユニット３２１を動作させ、あたり目投票カード３４０の内容を読み取る。カード読取部３４が読み取った情報は、発券制御部３５へ通知する。
【００６７】
［ステップＳ０３］  発券制御部３５は、投票支援装置１０からあたり目を取得する。このとき、あたり目買い方の指定３４１に基づいて、第１モードであれば、指定式別のあたり目を、第２モードであれば、指定式別のあたり目とポイント集計情報とを投票支援装置１０に要求する。また、要求時には、場名３４２も付加する。
【００６８】
ここで、投票支援装置１０側の処理について説明する。
投票支援装置１０では、通信部１３を介して要求を受信すると、支援情報生成部１７は、指定された場名、指定式別に該当するあたり目をあたり目情報２３から抽出する。第１モードであれば、通信部１３を介してあたり目を投票券発券装置３０に送信し、処理を終了する。第２モードであれば、指定式別に対応するポイント集計情報をポイント集計情報２２から抽出し、あたり目ととともに投票券発券装置３０に送信する。このとき、支援情報生成部１７は、抽出したポイント集計情報全体を送信するのではなく、評価ポイントに基づいて、評価ポイントが所定の閾値より高い的中番号に対応する情報を抽出して送信するとしてもよい。
【００６９】
投票券発券装置３０の処理に戻って説明する。
［ステップＳ０４］  発券制御部３５は、投票支援装置１０より指定式別のあたり目を取得する。発券制御部３５は、あたり目買い方の指定３４１に基づき、指定が「お任せ」であるか否かを判定する。「お任せ」であるときは、処理をステップＳ０７に進める。「お任せ」でないときは、処理をステップＳ０５に進める。
【００７０】
［ステップＳ０５］  発券制御部３５は、「お任せ」ではないので、投票支援装置１０に対し、「場名、式別」を指定してレース結果を要求する。支援情報生成部１７によって指定された場名、式別の当日分の確定レースのレース結果が送信され、発券制御部３５は要求したレース結果を取得する。
【００７１】
［ステップＳ０６］  発券制御部３５は、ステップＳ０５で取得した当日分の指定式別のレース結果と、ステップＳ０４で取得したあたり目と、に基づき、投票番号の入力を促す選択画面を表示する。選択画面の詳細は後述する。そして、投票者による選択が入力されたときは、入力受付処理を行い、投票者の選択したあたり目を特定する。
【００７２】
［ステップＳ０７］  発券制御部３５は、「お任せ」の場合はステップＳ０４で取得したあたり目、「選択」の場合はステップＳ０６で取得したあたり目を投票番号とし、投票内容を確認するための投票画面を表示する。投票画面には、投票番号と、場名、レース名、式別、金額等の確認情報を表示する。
【００７３】
［ステップＳ０８］  発券制御部３５は、投票者によって確認がされたときは、ステップＳ０７で示した投票内容に基づく投票券を発券する。投票券は、投票券印刷ユニット３２４で印刷され、投票券出入口３０３より排出される。発券制御部３５は、投票者が投票券を受取ったことを検出し、処理をステップＳ０９に進める。
【００７４】
［ステップＳ０９］  発券制御部３５は、発券した投票券に応じた金額をステップＳ０１で受け付けた入金金額から引き、残金を算出する。残金があるか否かを判定し、残金があるときは、ステップＳ０２に戻って次の指示を待つ。残金がないときは、処理を終了する。
【００７５】
以上の処理手順が実行されることにより、投票券発券装置３０では、あたり目投票カード３４０に基づくあたり目投票を実行する。
なお、上記の説明では、あたり目投票カード３４０に基づいてあたり目投票を行うとしたが、本発明はこれに限定されない。あたり目投票カード３４０に記載された情報と同様の情報を投票券発券装置３０で取得できればよく、ディスプレイ３０５に内容を表示し、タッチパネル３０６で指定を入力してもよいし、ネットワーク９０を介して外部から取得してもよい。
【００７６】
（４）実施例
次に、上記の構成のトータリゼータシステムによるあたり目投票処理について実施例を用いて説明する。以下の説明では、公営競技として競馬の例を用いて説明する。競馬の場合の投票対象は出走馬（以下、単に馬とする）であり、それぞれの馬には、投票対象番号として馬番号が設定されている。また、１または複数の馬に対し、「枠」が割り当てられており、投票者は馬番号または枠番号を用いて投票を行う。
【００７７】
ここで、以下の説明で用いる競馬の一般的な投票手続きについて説明する。
「単勝」とは、１着になる馬を１つ選択し、その馬番号に投票する賭式である。
「複勝」とは、３着までに入る馬を１つ選択し、その馬番号に投票する賭式である。着順は関係ない。
【００７８】
「２枠複」とは、１着と２着になる馬を選択し、その馬に割り当てられた枠番の組み合わせに投票する賭式である。着順は関係ない。
「２連複」とは、１着と２着になる馬を選択し、その馬番号の組み合わせに投票する賭式である。着順は関係ない。
【００７９】
「２連単」とは、１着と２着となる馬を着順通りに予想し、１着の馬番号と２着の馬番号とに投票する賭式である。
「ワイド」とは、３着までに入る２頭の馬を選択し、その馬の馬番号の組み合わせに投票する賭式である。着順は関係ない。
【００８０】
「３連複」とは、１着、２着、３着となる馬を選択し、その馬番号の組み合わせに投票する賭式である。着順は関係ない。
「３連単」とは、１着、２着、３着となる馬を着順通りに予想し、１着の馬番号と２着の馬番号と３着の馬番号とに投票する賭式である。
【００８１】
以上の賭式は、第１賭式と第２賭式の２種類に分類することができる。第１賭式は、「複勝式」であり、複数の出走対象から所定の着順内に入る投票対象番号を選択して投票する賭式である。着順は関係ない。上記の例では、「複勝」、「２枠複」、「２連複」、「ワイド」、「３連複」がこれに該当する。第２賭式は「単勝式」であり、複数の出走対象から所定の着順内に入る投票対象番号を着順ごとに選択して投票する賭式である。着順まで的中しなければならない。上記の例では、「単勝」、「２連単」、「３連単」がこれに該当する。
【００８２】
「複勝式」では、所定の着順内に入れば的中番号となるので、的中回数は所定の着順内に入った回数になる。例えば、「２連複」では、１着に入っても２着に入っても、いずれかに入るたびに的中回数が増加する。
【００８３】
一方、「単勝式」では、順位まで問題となるので、的中回数は着順ごとに集計する。例えば、「２連単」では、１着に入った的中回数と、２着に入った的中回数とを別々に集計する。
【００８４】
以下では、「複勝式」と「単勝式」のそれぞれの場合について、ポイント集計情報の生成処理について説明する。
まず、「複勝式」について説明する。図９は、複勝式のレース結果履歴を示した図である。なお、「単勝」は、「単勝式」に分類されるが、処理は「複勝式」と同様に行うことができるので、便宜的に「複勝式」とともに説明する。
【００８５】
複勝式レース結果履歴２１１には、各レース２１１ａにおける式別のレース結果が記録されている。それぞれ単勝２１１ｂ、複勝２１１ｃ、２枠複２１１ｄ、２連複２１１ｅ、３連複２１１ｆ及びワイド２１１ｇにおける的中番号が記録されている。
【００８６】
レース２１１ａの「１Ｒ」は第１レースを表し、行方向に第１レースのレース結果が並ぶ。例えば、第１レースにおける式別的中番号は、単勝２１１ｂが「１」、複勝２１１ｃが「１、６、８」、２枠複２１１ｄが「１−６」、２連複２１１ｅが「１−６」、３連複２１１ｆが「１−６−８」、ワイド２１１ｇが「１−６、１−８、６−８」になる。
【００８７】
複勝式レース結果履歴２１１には、各レースが終了するごとに、対応する行のレース結果が追加される。
ポイント集計部１５は、式別に的中番号とその的中回数を集計し、ポイント集計情報２２を生成する。
【００８８】
ポイント集計情報について図１０、１１を用いて説明する。
図１０は、複勝式のポイント集計情報の一例を示した図である。（Ａ）は単勝ポイント集計情報、（Ｂ）は複勝ポイント集計情報を示している。
【００８９】
図１０（Ａ）の単勝ポイント集計情報２２１は、図９に示した複勝式レース結果履歴２１１の単勝２１１ｂの第６レースまで終了した時点に生成されるポイント集計情報である。
【００９０】
的中番号２２１ａは、第１〜６レースまでに検出された的中番号を示し、的中レース２２１ｂは的中番号が検出されたレース番号を示し、的中回数２２１ｃは第１〜６レースまでに的中番号が的中した回数を示している。なお、以下では、的中回数＝評価ポイントとして説明する。
【００９１】
単勝ポイント集計情報２２１は、的中番号２２１ａが「１」の的中回数２２１ｃが「４」であり、最も評価の高いことを示している。なお、的中レース２２１ｂは、あたり目検出時に用いない場合は、設けなくてもよい。
【００９２】
図１０（Ｂ）の複勝ポイント集計情報２２２は、図９に示した複勝式レース結果履歴２１１の複勝２１１ｃの第６レースまで終了した時点に生成されるポイント集計情報である。
【００９３】
的中番号２２２ａは、第１〜６レースまでに検出された的中番号を示し、的中レース２２２ｂは的中番号が検出されたレース番号を示し、的中回数２２２ｃは第１〜６レースまでに的中番号が的中した回数を示している。
【００９４】
図１１は、複勝式のポイント集計情報の他の一例を示した図である。
図１１に示した２連複ポイント集計情報２２３は、図９に示した複勝式レース結果履歴２１１の２連複２１１ｅの第６レースまで終了した時点に生成されるポイント集計情報である。
【００９５】
的中番号２２３ａは、第１〜６レースまでに検出された的中番号を示し、的中レース２２３ｂは的中番号が検出されたレース番号を示し、的中回数２２３ｃは第１〜６レースまでに的中番号が的中した回数を示している。図９に示した複勝式レース結果履歴２１１の２連複２１１ｅの第１レースの結果「１−６」は、１と６の組が的中番号であることを示す。２連複では着順は関係ないため、それぞれの馬番号について、馬番号１が２着以内に入った的中回数と、馬番号６が２着以内に入った的中回数とを集計する。
【００９６】
以下、２枠複２１１ｄ、３連複２１１ｆ及びワイド２１１ｇについても同様にしてポイント集計情報を生成する。２枠複２１１ｄは、レース結果に基づき、的中番号のそれぞれの枠番号と、この枠番号の馬が２着以内に入った的中回数とを集計する。３連複２１１ｆは、的中番号のそれぞれの馬番号と、この馬番号が３着以内に入った的中回数とを集計する。ワイド２１１ｇは、的中番号のそれぞれの馬番号と、この馬番号が３着以内に入った的中回数とを集計する。なお、例えば、ワイド２１１ｇの第１レースでは、的中番号が「１−６」、「１−８」、「６−８」であるが、これは「１、６、８」から２つを選択した組み合わせであるので、馬番号１、６、８についてそれぞれ的中回数１回と計算する。
【００９７】
あたり目検出部１６では、このような式別のポイント集計情報に基づいて、式別にあたり目を検出する。
例えば、単勝の場合は、図１０（Ａ）に示した単勝ポイント集計情報２２１に基づき、評価ポイントの最も高い１の的中番号をあたり目とする。この例では、的中回数が最も多い的中番号「１」があたり目になる。検出したあたり目は、式別「単勝」に対応付けてあたり目情報２３に登録する。
【００９８】
複勝の場合は、図１０（Ｂ）に示した複勝ポイント集計情報２２２に基づき、評価ポイントの最も高い１の的中番号をあたり目とする。この例では、的中回数の最も多い「１」があたり目になる。検出したあたり目は、式別「複勝」に対応付けてあたり目情報２３に登録する。
【００９９】
２連複の場合は、図１１に示した２連複ポイント集計情報２２３に基づき、的中回数の多い順に２つの的中番号をあたり目として検出する。この例では、「１」と「２」があたり目になる。検出したあたり目は、式別「２連複」に対応付けてあたり目情報２３に登録する。
【０１００】
また、２枠複、３連複及びワイドについても同様にしてそれぞれのポイント集計情報からあたり目を検出する。２枠複では、的中回数の多い順に２つの的中番号をあたり目として検出する。３連複では、的中回数の多い順に３つの的中番号をあたり目として検出する。ワイドでは、的中回数の多い順に２つの的中番号をあたり目として検出する。
【０１０１】
次に、「単勝式」について説明する。図１２は、単勝式のレース結果履歴を示した図である。
単勝式レース結果履歴２１２には、各レース２１２ａにおける式別のレース結果が記録されている。それぞれ２連単２１２ｂ、３連単２１２ｃにおける的中番号である。表構成は、図９に示した複勝式と同様である。
【０１０２】
それぞれのレース結果は、着順を含み、例えば、２連単２１２ｂの第１レースの結果「１−６」は、１着が馬番号「１」、２着が馬番号「６」であることを示す。３連単２１２ｃも同様である。単勝式レース結果履歴２１２には、各レースが終了するごとに、対応する行のレース結果が追加される。
【０１０３】
ポイント集計部１５が生成するポイント集計情報について、図１３を用いて説明する。
図１３は、単勝式のポイント集計情報の一例を示した図である。
図１３に示した２連単ポイント集計情報２２４は、図１２に示した単勝式レース結果履歴２１２の２連単２１２ｂの第６レースまで終了した時点に生成されるポイント集計情報である。
【０１０４】
２連単ポイント集計情報２２４では、２連単２１２ｂの着順ごとにポイント集計情報を生成する。図の例では、１着集計情報２２４ａと、２着集計情報２２４ｂとを生成する。例えば、１着集計情報２２４ａは、２連単２１２ｂの１着に対応する馬番号を的中番号とし、的中番号と的中回数とを集計する。１着集計情報２２４ａの表を構成する的中レース、的中回数は、図１０、１１に示した複勝式の場合と同様であるので説明は省略する。同様に、２着集計情報２２４ｂは、２連単２１２ｂの２着に対応する馬番号を的中番号とし、的中番号と的中回数とを集計したものである。
【０１０５】
３連単ポイント情報についても同様にして３連単ポイント集計情報を生成する。３連単ポイント集計情報は、１着集計情報、２着集計情報及び３着集計情報から成る。
あたり目検出部１６では、このような式別のポイント集計情報に基づいて、式別にあたり目を検出する。
【０１０６】
例えば、２連単の場合は、図１３に示した２連単ポイント集計情報２２４に基づき、１着集計情報２２４ａから１着に対応するあたり目を検出し、２着集計情報２２４ｂから２着に対応するあたり目を検出する。すなわち、１着については、１着集計情報２２４ａにおいて的中回数が最も多い的中番号「１」が１着あたり目になる。２着についても同様にして、２着集計情報から的中番号「２」を２着あたり目として検出する。あたり目は、１着と２着を着順に並べた「１−２」になる。検出したあたり目は、式別「２連単」に対応付けてあたり目情報２３に登録する。
【０１０７】
３連単についても同様に、１着集計情報、２着集計情報、３着集計情報からそれぞれ１着あたり目、２着あたり目、３着あたり目を検出し、これを着順に並べ、あたり目とする。
【０１０８】
このように、式別の特徴に応じてあたり目を検出することにより、単に、レース結果を見て投票者があたり目を判断する場合と比べて、より確かなあたり目を得ることができる。
【０１０９】
なお、上記のレース結果履歴では、的中番号に偏りがあったが、レース結果によっては的中番号に偏りがないこともある。以下、レース結果に的中番号の偏りがない場合におけるあたり目検出処理について説明する。
【０１１０】
図１４は、レース結果履歴（偏りなし）を示した図である。表の構成は、図９に示した複勝式レース結果履歴２１１と、図１２に示した単勝式レース結果履歴２１２とを結合した構成と同様である。
【０１１１】
レース結果履歴（偏りなし）２１３には、レース２１３ａにおける式別のレース結果が記録されている。それぞれ単勝２１３ｂ、複勝２１３ｃ、２枠複２１３ｄ、２連複２１３ｅ、３連複２１３ｆ、ワイド２１３ｇ、２連単２１３ｈ及び３連単２１３ｉにおける的中番号が記録されている。
【０１１２】
ポイント集計部１５では、レース結果履歴（偏りなし）２１３に基づいて、式別のポイント集計情報を生成する。式別のポイント集計情報について図１５、１６を用いて説明する。
【０１１３】
図１５は、レース結果履歴（偏りなし）における複勝式のポイント集計情報の一例を示した図である。（Ａ）は単勝ポイント集計情報、（Ｂ）は複勝ポイント集計情報を示している。
【０１１４】
図１５（Ａ）の単勝ポイント集計情報２２５は、図１４に示したレース結果履歴（偏りなし）２１３の単勝２１３ｂの第４レースまで終了した時点に生成されるポイント集計情報である。（Ｂ）の複勝ポイント集計情報２２６は、図１４に示したレース結果履歴（偏りなし）２１３の複勝２１３ｃの第４レースまで終了した時点に生成されるポイント集計情報である。それぞれの表構成は、図１０に示した単勝ポイント集計情報２２１、複勝ポイント集計情報２２２と同様である。
【０１１５】
図１５から明らかなように、単勝ポイント集計情報２２５において検出された的中番号の的中回数はすべて「１」であり、的中回数に偏りはない。同様に、複勝ポイント集計情報２２６において検出された的中番号の的中回数はすべて「１」であり、的中回数に偏りはない。
【０１１６】
図１６は、レース結果履歴（偏りなし）における単勝式のポイント集計情報の一例を示した図である。表構成は、図１３に示した２連単ポイント集計情報２２４と同様である。
２連単ポイント集計情報２２７は、図１４に示したレース結果履歴（偏りなし）２１３の２連単２１３ｈの第４レースまで終了した時点に生成されるポイント集計情報である。
【０１１７】
図１６から明らかなように、２連単ポイント集計情報２２７において検出された的中番号の的中回数は１着集計情報及び２着集計情報においてすべて「１」であり、的中回数に偏りはない。
【０１１８】
なお、レース結果履歴（偏りなし）２１３の他の式別である２枠複２１３ｄ、２連複２１３ｅ、３連複２１３ｆ、ワイド２１３ｇ及び３連単２１３ｉについて生成するポイント集計情報についても同様であり、的中回数に偏りはない。
【０１１９】
あたり目検出部１６では、このような単勝ポイント集計情報２２５、複勝ポイント集計情報２２６、２連単ポイント集計情報２２７に基づいて、あたり目を検出する。
式別が単勝の場合は、図１５に示した単勝ポイント集計情報２２５に基づいて、最も的中回数の多い的中番号をあたり目として検出する。しかしながら、検出された的中番号の的中回数はすべて「１」であり、的中回数からあたり目を検出することができない。このような場合は、的中回数が最も多い「１」の的中番号から無作為に１つを選択し、あたり目とする。例えば、的中番号「１、４、７、１０」をあたり目情報２３に登録し、あたり目要求に対して無作為に「１０」を選択し、あたり目「１０」を応答する。
【０１２０】
同様に、図１５に示した複勝ポイント集計情報２２６において検出された的中番号は、的中回数に基づいて１つを選択することができない。そこで、あたり目要求に対して検出された的中番号から無作為に１つを選択する。
【０１２１】
式別が２枠複、２連複、ワイドの場合も同様に、最も高い的中回数が同じである的中番号が複数検出されたときは、あたり目要求に対してその的中番号から無作為に２つを選択する。式別が３連複の場合も同様であり、最も高い的中回数が同じである的中番号が複数検出されたときは、あたり目要求に対してその的中番号から無作為に３つを選択する。
【０１２２】
式別が２連単の場合は、図１６に示した２連単ポイント集計情報２２７に基づいて、１着集計情報２２７ａと２着集計情報２２７ｂとからそれぞれ的中回数の最も高い的中番号を選択し、あたり目とする。しかしながら、この例では、１着集計情報２２７ａ及び２着集計情報２２７ｂのいずれも的中回数に基づいて的中番号を選択することができないので、あたり目要求に対してそれぞれから無作為に１つの的中番号を選択し、これらを着順に並べてあたり目とする。なお、１着集計情報２２７ａまたは２着集計情報２２７ｂのいずれかで的中回数に基づいて１つの的中番号が選択できるときは、可能な方では的中回数に基づいて的中番号を選択する。式別が３連単の場合も同様に、１着、２着、３着それぞれについて的中回数の最も高い的中番号を選択し、あたり目とする。的中回数で選択できない着順は、最高位の的中回数の的中番号から１つを無作為に選択する。
【０１２３】
いずれも、検出したあたり目は、あたり目情報２３に登録する。
このように投票支援装置１０が、レース結果に基づいて、あたり目を検出することによって、投票者は容易にあたり目投票を行うことができる。
【０１２４】
なお、例えば、レース結果を参照する所定の期間を投票対象レースが行われる当日とした場合、投票対象レースが１レースであるときは参照する当日のレース結果がなく、レース結果に基づいてあたり目を検出することができない。また、投票対象レースのレース番号が小さい場合、例えば、当日の３Ｒ目では、参照するレース結果の数が少なく、的中番号に隔たりが生じにくい。このように、レース結果がない、もしくはレース結果の数が少ない場合には、所定の期間の前、例えば、前日に行われたレース結果をホストコンピュータ５０から取得し、ポイント集計情報２２を生成するとしてもよい。
【０１２５】
次に、このようなあたり目を利用する投票券発券装置３０側の動作について説明する。
投票券発券装置３０では、読み込んだあたり目投票カード３４０のあたり目買い方の指定３４１が「お任せ」であったときは、投票支援装置１０から取得したあたり目を用いて投票券を発券する。例えば、式別３４４に「単勝」が記入され、図１０に示した単勝ポイント集計情報２２１に基づいて検出された単勝のあたり目が「１」であるときは、確認のため、ディスプレイ３０５に、場名、レース番号、購入金額、とともに、式別「単勝」と、投票番号「１」を表示する。投票券発券装置３０は、タッチパネル３０６を介して投票者の確認を受け付けた後、投票券を発券する。
【０１２６】
一方、投票券発券装置３０では、あたり目買い方の指定３４１が「選択」であったときは、投票支援装置１０から、あたり目に加えて、該当する式別のポイント集計情報と、レース結果履歴と、を取得する。レース結果履歴は、ホストコンピュータ５０から取得するとしてもよい。そして、投票券発券装置３０は、取得した情報に基づいて、選択画面をディスプレイ３０５に表示する。選択画面の表示について図１７、１８、１９を用いて説明する。
【０１２７】
図１７は、式別が単勝の場合の選択あたり目投票画面の一例を示した図である。
選択あたり目投票画面（単勝）３５０には、発券制御部３５によって、投票者による指定情報３５１と、レース結果履歴３５２と、あたり目情報３５３と、が表示されている。
【０１２８】
指定情報３５１は、カード読取部３４があたり目投票カード３４０から読み取った情報に基づいて表示される。選択あたり目投票画面（単勝）３５０では、あたり目投票カード３４０に基づく投票種別「あたり目投票」と、場名３４２に基づく場所「Ａ場」と、式別「単勝」と、金額３４５に基づく金額「１，０００円」とが表示される。
【０１２９】
レース結果履歴３５２は、発券制御部３５によって投票支援装置１０またはホストコンピュータ５０から取得した単勝のレース結果に基づいて表示される。選択あたり目投票画面（単勝）３５０では、図９に示したレース結果履歴２１１の単勝２１１ｂに基づく画面が表示されている。
【０１３０】
あたり目情報３５３は、発券制御部３５によって投票支援装置１０から取得したあたり目と、ポイント集計情報に基づいて表示される。選択あたり目投票画面（単勝）３５０では、図１０に示した単勝ポイント集計情報２２１に基づいて検出したあたり目が集計１位に表示されている。また、単勝ポイント集計情報２２１において検出された的中番号２２１ａに基づき、集計２位と３位が表示されている。
【０１３１】
投票者は、このような選択あたり目投票画面（単勝）３５０を確認し、レース結果履歴３５２のあたり目情報３５３に基づき、あたり目を選択し、投票を行うことができる。
図１８は、式別が２連複の場合の選択あたり目投票画面の一例を示した図である。
【０１３２】
選択あたり目投票画面（２連複）３６０には、発券制御部３５によって、投票者による指定情報３６１と、レース結果履歴３６２と、あたり目情報３６３と、が表示されている。
【０１３３】
指定情報３６１は、式別が異なる他は指定情報３５１と同様であるので、説明は省略する。
レース結果履歴３６２は、発券制御部３５が取得した２連複のレース結果に基づいて表示される。選択あたり目投票画面（２連複）３６０では、図９に示したレース結果履歴２１１の２連複２１１ｅに基づく画面が表示されている。
【０１３４】
あたり目情報３６３は、発券制御部３５によって投票支援装置１０から取得したあたり目と、ポイント集計情報に基づいて表示される。選択あたり目投票画面（２連複）３６０では、図１１に示した２連複ポイント集計情報２２３に基づいて検出したあたり目が集計１位に表示されている。また、２連複ポイント集計情報２２３において検出された的中番号２２３ａと、その的中回数２２３ｃとに基づき、選択した的中番号が集計２位に表示されている。
【０１３５】
図１９は、式別が２連単の場合の選択あたり目投票画面の一例を示した図である。
選択あたり目投票画面（２連単）３７０には、発券制御部３５によって、投票者による指定情報３７１と、レース結果履歴３７２と、あたり目情報３７３と、が表示されている。
【０１３６】
指定情報３７１は、式別が異なる他は指定情報３５１と同様であるので、説明は省略する。
レース結果履歴３７２は、発券制御部３５が取得した２連複のレース結果に基づいて表示される。選択あたり目投票画面（２連単）３７０では、図１２に示した単勝式レース結果履歴２１２の２連単２１２ｂに基づく画面が表示されている。
【０１３７】
あたり目情報３７３は、発券制御部３５によって投票支援装置１０から取得したあたり目と、ポイント集計情報に基づいて表示される。選択あたり目投票画面（２連単）３７０では、図１３に示した２連単ポイント集計情報２２４に基づいて検出したあたり目が集計１位に表示されている。また、２連単ポイント集計情報２２４において検出された１着集計情報２２４ａと、２着集計情報２２４ｂとに基づき、それぞれから選択した的中番号が集計２位に表示されている。
【０１３８】
このように、投票者があたり目投票カード３４０のあたり目買い方の指定３４１を「選択」とすれば、ディスプレイ３０５には、図１７、１８、１９に示したような式別に応じた選択あたり目投票画面が表示される。投票券発券装置３０は、投票者が画面を確認し、例えば、集計１位の番号をタッチすれば、タッチした番号を投票番号とする投票券の確認画面を表示する。そして、投票者の確認を受け付けると、この投票券を発券する。また、レース結果に基づいて自分であたり目を決定したい投票者が、レース結果に表示された番号をタッチしたときは、投票券発券装置３０は同様の処理を行い、タッチされた番号の投票券を発券する。
【０１３９】
なお、集計２位以下のあたり目の検出は、式別のポイント集計情報を取得した投票券発券装置３０で行ってもよいし、要求があった時に投票支援装置１０の支援情報生成部１７が検出して投票券発券装置３０へ送信するとしてもよい。
【０１４０】
本願発明によれば、例えば、初心者等、手軽に投票を行いたい投票者は、あたり目買い方の指定３４１に「お任せ」を記入すれば、自動的にあたり目投票を行うことができる。一方、経験者等、最終的には自分で投票番号を決めたい投票者は、あたり目買い方の指定３４１に「選択」を記入すれば、投票支援装置１０が集計したあたり目情報を参考にしながら、自分の判断で投票を行うことができる。いずれの投票も従来の投票カードによる投票と同じように実現することが可能であり、初心者及び経験者のいずれも気軽にあたり目投票を楽しむことができる。
【０１４１】
また、あたり目の予想は、レース結果に基づいて投票支援装置１０が行うため、見落としなく正確に集計ができるばかりでなく、レース終了後すぐに確かな情報を提供することができる。
【０１４２】
このように、正確、スピーディー、手軽さに加え、予想して勝つという公営競技の楽しみを味わえる投票が提供できることで、予想から投票までの時間短縮とファン層の拡大に貢献することができる。これに伴って、運営側には、投票数（売上）の拡大が見込めるという効果が得られる。
【０１４３】
なお、上記の構成は一例であり、発明の主旨を保っての適宜変更については本発明の範囲に含まれる。投票支援装置１０が行う処理機能は、投票券発券装置３０、ホストコンピュータ５０、投票所管理端末７０のいずれかで行われるとしてもよい。また、投票券の購入を投票券発券装置３０ではなく、例えば、ユーザのパーソナルコンピュータや携帯電話機よりネットワーク９０経由で行うとしてもよい。
【０１４４】
上記の処理機能は、コンピュータによって実現することができる。その場合、投票支援装置が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体に記録しておくことができる。コンピュータで読み取り可能な記録媒体としては、磁気記憶装置、光ディスク、光磁気記録媒体、半導体メモリ等がある。磁気記憶装置には、ＨＤＤ、フレキシブルディスク（ＦＤ）、磁気テープ等がある。光ディスクには、ＤＶＤ（Digital Versatile Disc）、ＤＶＤ−ＲＡＭ、ＣＤ−ＲＯＭ（Compact Disc Read Only Memory）、ＣＤ−Ｒ（Recordable）／ＲＷ（ReWritable）等がある。光磁気記録媒体には、ＭＯ（Magneto-Optical disk）等がある。
【０１４５】
プログラムを流通させる場合には、例えば、そのプログラムが記録されたＤＶＤ、ＣＤ−ＲＯＭ等の可搬型記録媒体が販売される。また、プログラムをサーバコンピュータの記憶装置に格納しておき、ネットワークを介して、サーバコンピュータから他のコンピュータにそのプログラムを転送することもできる。
【０１４６】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムにしたがった処理を実行する。なお、コンピュータは、可搬型記録媒体から直接プログラムを読み取り、そのプログラムにしたがった処理を実行することもできる。また、コンピュータは、ネットワークを介して接続されたサーバコンピュータからプログラムが転送されるごとに、逐次、受け取ったプログラムにしたがった処理を実行することもできる。
【０１４７】
また、上記の処理機能の少なくとも一部を、ＤＳＰ（Digital Signal Processor）、ＡＳＩＣ（Application Specific Integrated Circuit）、ＰＬＤ（Programmable Logic Device）等の電子回路で実現することもできる。
【０１４８】
なお、本発明は上述した実施形態そのままに限定されるものではなく、実施段階でのその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素を適宜組み合わせてもよい。さらに、異なる実施形態にわたる構成要素を適宜組み合わせてもよい。このような、発明の趣旨を逸脱しない範囲内において種々の変形や応用が可能である。
【符号の説明】
【０１４９】
１  投票支援装置
３  記憶部
３ａ  ポイント集計情報
５  集計部
７  あたり目検出部
１０  投票支援装置
１３  通信部
１４  記憶部
１５  ポイント集計部
１６  あたり目検出部
１７  支援情報生成部
２１  レース結果履歴
２２  ポイント集計情報
２３  あたり目情報
３０  投票券発券装置
３３  通信部
３４  カード読取部
３５  発券制御部
５０  ホストコンピュータ
５３  通信部
５４  レース管理部
７０  投票所管理端末
９０  ネットワーク
３０１  投票カード投入口
３０２  硬貨出入口
３０３  投票券出入口
３０４  紙幣出入口
３０５  ディスプレイ
３０６  タッチパネル
【図１】
2016031715.tif 000003
【図２】
2016031715.tif 000004
【図３】
2016031715.tif 000005
【図４】
2016031715.tif 000006
【図５】
2016031715.tif 000007
【図６】
2016031715.tif 000008
【図７】
2016031715.tif 000009
【図８】
2016031715.tif 000010
【図９】
2016031715.tif 000011
【図１０】
2016031715.tif 000012
【図１１】
2016031715.tif 000013
【図１２】
2016031715.tif 000014
【図１３】
2016031715.tif 000015
【図１４】
2016031715.tif 000016
【図１５】
2016031715.tif 000017
【図１６】
2016031715.tif 000018
【図１７】
2016031715.tif 000019
【図１８】
2016031715.tif 000020
【図１９】
2016031715.tif 000021